(57)【特許請求の範囲】
【請求項１】
顧客毎に印字内容の異なる可変データ領域が設けられる所定種の第１の帳票と、該当の第１の帳票と丁合対象となるもので、同様の可変データ領域が設けられる所定数の第２の帳票とが搬送されて丁合される際に、丁合対象間のマッチングをとる帳票丁合システムであって、
丁合前に、前記第１の帳票の可変データ領域における前記顧客固有の情報のうちの所定印字内容を撮像する所定数の第１の撮像手段と、
丁合前に、前記所定数の第２の帳票の可変データ領域における前記顧客固有の情報のうちの所定印字内容を撮像する所定数の第２の撮像手段と、
前記顧客毎に前記第１の帳票と所定数の第２の帳票との対応情報を保有する帳票情報と、
前記帳票情報に基づいて、前記第１の帳票に対する前記第１の撮像手段で撮像した画像と、前記第２の帳票に対する前記第２の撮像手段で撮像した画像とを関連付けして保持する関連付処理手段と、
丁合後に、前記第１の帳票に対して前記第１の撮像手段で撮像した部分と同一部分を撮像する所定数の第３の撮像手段と、
丁合後に、前記所定数の第２の帳票に対して前記第２の撮像手段で撮像した部分と同一部分を撮像する所定数の第４の撮像手段と、
前記第１の撮像手段による撮像画像と前記第３の撮像手段による撮像画像とのパターン照合を行うと共に、前記第２の撮像手段による撮像画像と前記第４の撮像手段による撮像画像とのパターン照合を行い、前記関連付処理手段で保持している関連付に基づいて丁合対象を判別する照合手段と、
前記照合手段による丁合対象の判別の結果に応じて所定の出力信号を出力する信号出力手段と、
を有することを特徴とする帳票丁合システム。
【請求項２】
請求項１記載の帳票丁合システムであって、前記第１〜第４の撮像手段は、前記第１の帳票および所定数の第２の帳票の可変データ領域の所定部分に対応して単一または複数固定設置されることを特徴とする帳票丁合システム。
【請求項３】
請求項１記載の帳票丁合システムであって、前記第１および第３の撮像手段は各単一で設置されるもので、当該第１および第３の撮像手段を前記第１の帳票の可変データ領域内で撮像部分を異ならせるべく移動させる移動駆動手段を備えることを特徴とする帳票丁合システム。
【請求項４】
請求項１記載の帳票丁合システムであって、前記第２および第４の撮像手段は各単一で設置されるもので、当該第２および第４の撮像手段を前記第２の帳票の可変データ領域内で撮像部分を異ならせるべく移動させる移動駆動手段を備えることを特徴とする帳票丁合システム。
【請求項５】
請求項１〜４の少なくとも何れかに記載の帳票丁合システムであって、前記第１の帳票および所定数の第２の帳票は、前記第１〜第４の撮像手段による撮像部分が、丁合後にそれぞれ上方面および下方面に位置させるべく搬送されることを特徴とする帳票丁合システム。
【請求項６】
請求項５記載の帳票丁合システムであって、前記第３の撮像手段および第４の撮像手段は、前記第１および所定数の第２の帳票が丁合された後の搬送課程の略同一箇所で撮像を行うべき配置されることを特徴とする帳票丁合システム。
【発明の詳細な説明】
【０００１】
【発明の属する技術分野】
本発明は、所定数の帳票を丁合して封緘体に封入封緘する際の各帳票同士のマッチングを行う帳票丁合システムに関する。
【０００２】
【従来の技術】
近年、複数の帳票を丁合して封筒に封入し、封緘することを自動的に行うようになってきている。特に、帳票がカタログやパンフレット等の送付先顧客によらず同一のものを送付する場合から、送付先顧客毎に所定の内容が異なる可変データを印字、印刷して送付することも一般的となってきており、この場合においても各内容の異なる帳票を丁合して封筒に封入、封緘することを自動的に行えるようになってきている。そのため、送付先毎の複数の帳票を確実に丁合する必要がある。
【０００３】
従来、送付先毎に内容の異なる複数種の帳票を、当該送付先毎に丁合する場合、それぞれの帳票に当該送付先の顧客を特定する符号を印字しておき、この符号を読み取って照合を行うことでマッチングを図っている。このような符号照合のやり方として、例えばＯＣＲ（Ｏｐｔｉｃａｌ  Ｃｈａｒａｃｔｅｒ  Ｒｅａｄｅｒ）やＯＭＲ（Ｏｐｔｉｃａｌ  Ｍａｒｋ  Ｒｅａｄｅｒ）がある。
【０００４】
ＯＣＲによる場合は、丁合対象のそれぞれの帳票に符号としての個別の文字、記号等を印字しておき、カメラにより当該文字や記号を読み取り、これを２値化したビットマップデータとし、これと文字コード辞書を参照して文字を文字コードとして認識することで同一の文字か否かを判断することにより丁合のマッチングを行うものである。また、ＯＭＲによる場合は、丁合対象のそれぞれの帳票に符号としての個別のマーク（たとえばバーコード）を印字しておき、マークセンサ（バーコードリーダ）でバーコードを読み取ってコード化することで丁合対象を特定することにより丁合のマッチングを行うものである。
【０００５】
【発明が解決しようとする課題】
ところで、帳票の種類等によっては上記のようなマッチングのために印字される符号は送付先顧客を特定する管理符号とすることが一般的であり、このような管理符号を印字することが送付先顧客に好まれない場合があって、マッチングのための符号を印字できない場合がある。このような場合、それぞれの帳票への印字から丁合を、予め定められたシーケンスによって順番に丁合を行っている。
【０００６】
しかしながら、丁合から封筒への封入、封緘までの搬送中や封入までに他の帳票（カタログ等）を同梱させる場合における搬送、供給が失敗することや、搬送中にラインを外れるような場合が少なからず生じ、作業員の復旧作業において各送付先顧客に対する該当帳票の確認等行わなければならず繁雑であるという問題がある。また、それぞれの帳票に符号を印字する場合であっても、符号認識するためのシステムにはフォント等の辞書を必要としてシステム全体として費用が高額になるという問題がある。
【０００７】
そこで、本発明は上記課題に鑑みなされたもので、丁合マッチングのための符号を不要とし、システムを低コストで構築する帳票丁合システムを提供することを目的とする。
【０００８】
【課題を解決するための手段】
上記課題を解決するために、請求項１の発明では、顧客毎に印字内容の異なる可変データ領域が設けられる所定種の第１の帳票と、該当の第１の帳票と丁合対象となるもので、同様の可変データ領域が設けられる所定数の第２の帳票とが搬送されて丁合される際に、丁合対象間のマッチングをとる帳票丁合システムであって、丁合前に、前記第１の帳票の可変データ領域における前記顧客固有の情報のうちの所定印字内容を撮像する所定数の第１の撮像手段と、丁合前に、前記所定数の第２の帳票の可変データ領域における前記顧客固有の情報のうちの所定印字内容を撮像する所定数の第２の撮像手段と、前記顧客毎に前記第１の帳票と所定数の第２の帳票との対応情報を保有する帳票情報と、前記帳票情報に基づいて、前記第１の帳票に対する前記第１の撮像手段で撮像した画像と、前記第２の帳票に対する前記第２の撮像手段で撮像した画像とを関連付けして保持する関連付処理手段と、丁合後に、前記第１の帳票に対して前記第１の撮像手段で撮像した部分と同一部分を撮像する所定数の第３の撮像手段と、丁合後に、前記所定数の第２の帳票に対して前記第２の撮像手段で撮像した部分と同一部分を撮像する所定数の第４の撮像手段と、前記第１の撮像手段による撮像画像と前記第３の撮像手段による撮像画像とのパターン照合を行うと共に、前記第２の撮像手段による撮像画像と前記第４の撮像手段による撮像画像とのパターン照合を行い、前記関連付処理手段で保持している関連付に基づいて丁合対象を判別する照合手段と、前記照合手段による丁合対象の判別の結果に応じて所定の出力信号を出力する信号出力手段と、を有する構成とする。
【０００９】
請求項２〜６の発明では、「前記第１〜第４の撮像手段は、前記第１の帳票および所定数の第２の帳票の可変データ領域の所定部分に対応して単一または複数固定設置される」構成であり、
「前記第１および第３の撮像手段は各単一で設置されるもので、当該第１および第３の撮像手段を前記第１の帳票の可変データ領域内で撮像部分を異ならせるべく移動させる移動駆動手段を備える」構成であり、
「前記第２および第４の撮像手段は各単一で設置されるもので、当該第２および第４の撮像手段を前記第２の帳票の可変データ領域内で撮像部分を異ならせるべく移動させる移動駆動手段を備える」構成であり、
「前記第１の帳票および所定数の第２の帳票は、前記第１〜第４の撮像手段による撮像部分が、丁合後にそれぞれ上方面および下方面に位置させるべく搬送される」構成であり、
「前記第３の撮像手段および第４の撮像手段は、前記第１および所定数の第２の帳票が丁合された後の搬送課程の略同一箇所で撮像を行うべき配置される」構成である。
【００１０】
このように、丁合前に搬送される第１の帳票の可変データ領域の所定印字内容を第１の撮像手段が撮像し、搬送される所定数の第２の帳票の可変データ領域の所定印字内容を第２の撮像手段が撮像して帳票情報に基づいて互いに関連付けを行って保持し、丁合後に、第３の撮像手段が第１の帳票の同一部分を撮像すると共に、第４の撮像手段が所定数の第２の帳票の同一部分を撮像してそれぞれの撮像画像のパターン照合を行って上記関連付けに基づいて丁合対象を判別するもので、判別結果に応じて信号を出力する。すなわち、第１および第２の帳票の可変データ領域の所定印字内容で丁合時のマッチングを行うことから、丁合マッチングのための符号を不要とすることが可能となり、マッチングをパターン照合することからＯＣＲ等のフォント情報を不要としてシステムを低コストで構築することが可能となるものである。
【００１１】
【発明の実施の形態】
以下、本発明の好ましい実施形態を図により説明する。本実施形態は、本発明に係る帳票丁合システムを、丁合した各帳票を封筒に封入し、封緘する封入封緘システムに適用させた場合を示している。
【００１２】
図１に、本発明に係る帳票丁合システムの一例のブロック構成図を示す。図１において、帳票丁合システム１１は、顧客毎に印字内容の異なる可変データ領域が設けられる所定種の第１の帳票（図２で説明する）と、該当の第１の帳票と丁合対象となるもので、同様の可変データ領域が設けられる所定数の第２の帳票（図２で説明する）とが搬送されて丁合される際に、丁合対象間のマッチングをとるものであって、マッチング処理手段１２、第１〜第４の撮像手段１３〜１６を含んで構成される。
【００１３】
上記マッチング処理手段１２は、画像取込手段２１、帳票情報２２、関連付手段２３、バッファ２４、照合手段であるパターン照合手段２５、信号出力手段２６を含んで構成されるもので、コンピュータ内で構築されるものである。ここで、関連付手段２３およびバッファ２４により関連付処理手段を構成する。また、帳票情報２２は、外部から入手するデータであり、本実施形態のようにマッチング処理手段１２内に一端記憶させるものとしてもよく、外部記憶媒体として随時読み出すものとしてもよい。なお、第１および第２の帳票は、第１〜第４の撮像手段１３〜１６による撮像部分が、丁合後にそれぞれ上方面および下方面に位置させるべく搬送されるもので、搬送手段については図示を省略している。
【００１４】
上記第１の撮像手段１３は、丁合前に、第１の帳票の可変データ領域における顧客固有の情報のうちの所定印字内容を撮像するもので、所定数（本実施形態では単一で示している）配置される。上記第２の撮像手段１４は、丁合前に、第２の帳票の可変データ領域における顧客固有の情報のうちの所定印字内容を撮像するもので、所定数（本実施形態では単一で示している）配置される。
【００１５】
また、第３の撮像手段１５は、丁合後に、上記第１の帳票に対して上記第１の撮像手段１３で撮像した部分と同一部分を撮像するもので、所定数（本実施形態では単一で示している）配置される。そして、第４の撮像手段１６は、丁合後に、上記第２の帳票に対して上記第２の撮像手段１４で撮像した部分と同一部分を撮像するもので、所定数（本実施形態では単一で示している）配置される。上記第３の撮像手段１５および第４の撮像手段１６は、第１の帳票および所定数の第２の帳票が丁合された後の搬送課程の略同一箇所で撮像を行うべき配置される（図５で説明する）。
【００１６】
上記マッチング処理手段１２における画像取込手段２１は、上記第１〜第４の撮像手段１３〜１６で撮像した画像をそれぞれ取り込む。上記帳票情報２２は、顧客毎に該当の第１の帳票と所定数の第２の帳票との対応情報を保有する。上記関連付手段２３は、帳票情報２２に基づいて、第１の帳票に対する第１の撮像手段１３で撮像した画像と、第２の帳票に対する第２の撮像手段１４で撮像した画像とを関連付けしてバッファ２４に保持する。
【００１７】
上記パター照合手段２５は、第１の撮像手段１３による撮像画像と第３の撮像手段１５による撮像画像とのイメージデータによるパターン照合を行うと共に、第２の撮像手段１４による撮像画像と第４の撮像手段１６による撮像画像とのイメージデータによるパターン照合を行い、関連付処理手段の一部を構成するバッファ２４で保持している関連付に基づいて丁合対象を判別する。そして、信号出力手段２６は、パター照合手段２５による丁合対象の判別の結果に応じて所定の出力信号を出力する。
【００１８】
ここで、図２に、本発明に係る丁合を行う帳票の一例の説明図を示す。図２（Ａ）は第１の帳票を示しており、図２（Ｂ）は第２の帳票を示している。図２（Ａ）において、第１の帳票３１は、顧客毎に送付される所定数の帳票のうち、いわゆる「鑑（かがみ）」と称される第１頁目の帳票の一例を示したもので、例えば当該送付先の顧客固有の情報である住所、氏名が印字され、適宜当該顧客を識別するためのマーク（バーコード）およびその番号が印字される可変データ領域３２が少なくとも設けられたものである。すなわち、上記第１および第３の撮像手段１３，１５が当該可変データ領域３２内の任意に定めた何れかの印字内容（所定数の文字）を撮像するもので、第１および第３の撮像手段１３，１５は、共に当該可変データ領域３２内の同一部分を撮像するものである。
【００１９】
また、図２（Ｂ）において、第２の帳票３３Ａは、第１の帳票３１に続いて第２頁目以降に付随して当該顧客に送付される例えば明細書であり、例えば電話番号が印字される可変データ領域３４と、当該顧客に提示する明細内容が印字された可変データ領域３５が設けられたものである。すなわち、上記第２および第４の撮像手段１４，１６が当該可変データ領域３４内または可変データ領域３５内の任意に定めた何れかの印字内容（所定数の文字）を撮像するもので、共に当該可変データ領域３５，３６内の同一部分を撮像するものである。
【００２０】
そこで、図３に、本システムの丁合におけるマッチング処理を説明する概略図を示す。図３において、第１の帳票３１が搬送されて第１の撮像手段１３の部分に位置されたときに可変データ領域３２内の例えば「特  許  太」の部分を撮像する。一方、第２の帳票３３Ａが搬送されて第２の撮像手段１４の部分に位置されたときに可変データ領域３４，３５のうち、可変データ領域３４中の電話番号のうち「２３−４５」の部分を撮像する。この第１の撮像手段１３で撮像された画像「特  許  太」と、第２の撮像手段１４で撮像された「２３−４５」とが関連付けられて保持される。
【００２１】
そこで、第１の帳票３１と第２の帳票３３Ａが丁合されたときに第１の帳票３１の可変データ領域３２における上記第１の撮像手段１３で撮像した部分と同一部分を第３の撮像手段１５で撮像して画像「特  許  太」を得、第２の帳票３３Ａの可変データ領域３４における上記第２の撮像手段１４で撮像した部分と同一部分を第４の撮像手段１６で撮像して画像「２３−４５」を得る。
【００２２】
上記第３の撮像手段１５による撮像画像「特  許  太」と、保持されている上記第１の撮像手段１３による撮像画像「特  許  太」とをパターン照合すると共に、上記第４の撮像手段１６による撮像画像「２３−４５」と、保持されている上記第２の撮像手段１４による撮像画像「２３−４５」とをパターン照合して合致しているかを判別する。
【００２３】
この場合、上述のように帳票情報２２に基づいて、第１の帳票３１に付随する第２の帳票３３Ａの枚数を確認することで当該第２の帳票３３Ａの最後の帳票を特定することにより、保持されているパターン照合対象の撮像画像を特定するものである。また、パターン照合は、各撮像画像を２値化（例えばビットマップデータのイメージデータ）し、それらの合致率が定めた閾値より多い場合に同一と判別するものである。
【００２４】
そして、判別の結果、上記第１の帳票３１に関するパターン照合と第２の帳票３３Ａに関するパター照合が共に同一とされたときに当該第１の帳票３１と第２の帳票３３Ａが正規に丁合されたものと判別し、例えば信号出力手段２６より正規であるとの信号を出力すると共に（この信号で例えばカウントする）、搬送が続行される。また、パターン照合で何れかが不一致であれば間違えた丁合がされたものと判断し、エラー信号が信号出力手段２６より出力される。このエラー信号で、例えば搬送駆動を停止させ、その旨を表示させる。
【００２５】
続いて、図４に、本システムの丁合におけるマッチング処理のフローチャートを示す。図４において、まず、搬送されてきた第１の帳票３１の一に対して第１の撮像手段１３により可変データ領域３２のうちの所定箇所（「特  許  太」）で撮像され、その撮像画像を画像取込手段２１が取り込む（ステップ（Ｓ）１）。一方で、搬送されてきた第２の帳票３３Ａの一に対して第２の撮像手段１４により可変データ領域３４のうちの所定箇所（「２３−４５」）で撮像され、その撮像画像を画像取込手段２１が取り込む（Ｓ２）。
【００２６】
そこで、関連付手段２３が、第１の撮像手段１３での撮像画像（「特  許  太」）と、第２の撮像手段１４での撮像画像（「２３−４５」）とを関連付けてバッファ２４に保持する（Ｓ３）。また、関連付手段２３が当該第１の帳票３１に対する他の第２の帳票３３Ａがあるかを帳票情報２２を参照する（Ｓ４）。続く第２の帳票３３Ａがある場合は（Ｓ５）、Ｓ２に戻る。第１の帳票３１に続く第２の帳票３３Ａがない場合には（Ｓ５）、当該第１の帳票３１に対する関連付手段２３による処理を終了する。
【００２７】
続いて、第１の帳票３１と所定数の第２の帳票３３Ａとが丁合された後、第３の撮像手段１５が当該第１の帳票３１における上記第１の撮像手段１３で撮像された位置で撮像した画像（「特  許  太」）を画像取込手段２１が取り込むと共に、第４の撮像手段１６が当該第２の帳票３３Ａにおける上記第２の撮像手段１４で撮像された位置で撮像した画像（「２３−４５」）を画像取込手段２１が取り込む（Ｓ６）。
【００２８】
そこで、パターン照合手段２５が、バッファ２４より第１の撮像手段１３による撮像画像を取り出し、第３の撮像手段１５が撮像して取り込んだ画像（「特  許  太」）と照合を行うと共に、バッファ２４より第２の撮像手段１４による撮像画像を取り出し、第４の撮像手段１６が撮像して取り込んだ画像（「２３−４５」）と照合を行い、それぞれが一致するかの判別を行う（Ｓ７）。そして、信号出力手段２６が、上述のように上記パターン照合手段２５による判別の結果に応じた信号を出力するものである（Ｓ８）。
【００２９】
このように、第１の帳票３１および所定数の第２の帳票３３Ａの可変データ領域３２，３４，３５の所定印字内容で丁合時のマッチングを行うことから、丁合マッチングのための特別の符号を不要とすることができるものである。さらに、マッチングをパターン照合することからＯＣＲ等のフォント情報を不要としてシステムを低コストで構築することができ、またイメージデータ（パターン）を用いた判別を行うことから曖昧さ加減の自由度が高く、容易にシステム停止率と品質保証のウエイトを変更することができるものである。
【００３０】
次に、図５および図６に、本システムが適用される封入封緘システムの概略図を示す。図示の封入封緘システム４１は、図５および図６で一体のシステムを構成するもので、図５が本発明の帳票丁合システム１１の対象となる部分である。図５において、まず第１の帳票３１が図２（Ａ）に示すような印字がなされて連続した第１の連続帳票４２と、第２の帳票３３Ａが図２（Ｂ）に示すような印字がなされて連続した第２の連続帳票４３とが並列状態で配置される。
【００３１】
第１および第２の連続帳票４２，４３のそれぞれの搬送方向には、それぞれカッタ部４４Ａ，４４Ｂ、送り部４５Ａ，４５Ｂ、折り部４６Ａ，４６Ｂ、送り部４７Ａ，４７Ｂが順に配置される。そして、送り部４７Ｂの搬送方向の上方に第２の撮像手段１４が配置される。この第１および第２の連続帳票４２，４３の搬送ラインと略垂直に丁合搬送ライン４８が配置される。
【００３２】
丁合搬送ライン４８は、所定数のいわゆるタクト搬送を行うもので、第１の帳票３１が丁合搬送ライン４８上を搬送された場合の所定数のタクト搬送部分の下方に第１の撮像手段１３が配置される。そして、第２の帳票３３Ａが位置されたタクト部分で当該第１の帳票３１上に第２の帳票３３Ａとが丁合される位置とされる。また、丁合後の所定タクト部分に略同一箇所として第３の撮像手段１５が下方に配置され、第４の撮像手段１６が上方に配置されたものである。
【００３３】
続いて、図６において、丁合搬送ライン４８の搬送方向先方に一部重複して並列に隣接された封入封緘搬送ライン４９が配置される。丁合搬送ライン４８においては第３および第４の撮像手段１５，１６が配置された搬送方向には、当該丁合搬送ライン４８に所定種類の同封帳票５１Ａ，５１Ｂ・・・をそれぞれ供給する所定数の同封帳票供給部５０が当該丁合搬送ライン４８と同方向に配置される。一方、封入封緘搬送ライン４９は、封緘体５３を供給する封緘体供給部５２が配置され、封入封緘後の封緘物５４に対する所定の搬送位置に、例えばマーク（バーコードまたは番号）を読み取るための符号読取手段５５が配置されるものである。
【００３４】
このような封入封緘システム４１は、図５において、第１の連続帳票４２より供給される第１の帳票３１の連続体は、カッタ部４４Ａにより単票としての第１の帳票３１に切断され、送り部４５Ａにより折り部４６Ａに送られて、例えばＺ折りに折り曲げられる。このとき、宛名部分（可変データ領域３２の部分）が下方となるように折り曲げられるもので、送り部４７Ａにより丁合搬送ライン４８に供給され、所定数のタクト搬送の後に、下方に配置された第１の撮像手段１３により上述の撮像画像が撮像される。そして、所定数のタクト搬送により丁合位置に搬送される。
【００３５】
一方、第２の連続帳票４３より供給される第２の帳票３３Ａの連続体は、カッタ部４４Ｂにより単票としての第２の帳票３３Ａに切断され、送り部４５Ｂにより折り部４６Ｂに送られて、例えばＺ折りに折り曲げられる。このとき、可変データ領域３４，３５の部分が上方となるように折り曲げられるもので、送り部４７Ｂで送られた後に、上方に配置された第２の撮像手段１４により上述の撮像画像が撮像される。
【００３６】
そこで、上述のように第１の撮像手段１３による撮像画像と、第２の撮像手段１４による撮像画像とが上記関連付手段２３で関連付けられてバッファ２４に保持される。また、帳票情報２２に基づいて、第１の帳票３１に付随する第２の帳票３３Ａがあれば、さらに次の第２の帳票３３Ａに対して第２の撮像手段１４による撮像画像を関連付けてバッファ２４に保持する。
【００３７】
そして、丁合搬送ライン４８の丁合位置のタクト部分で第１の帳票３１上に第２の帳票３３Ａが丁合される。丁合後の所定数のタクト搬送後に、下方の第３の撮像手段１５が第１の帳票３１における上記第１の撮像手段１３で撮像した部分と同一部分を撮像し、上方の第４の撮像手段１６が第２の帳票３３Ａ（複数ある場合には最上もの）における上記第２の撮像手段１４で撮像した部分と同一部分を撮像して撮像画像を得る。この場合のマッチング処理は上述の如くであり、説明は省略する。
【００３８】
このように、第１の帳票および第２の帳票を、第１〜第４の撮像手段１３〜１６による撮像部分が丁合後にそれぞれ上方面および下方面に位置させるように搬送させ、第３の撮像手段１５および第４の撮像手段１６を第１および所定数の第２の帳票３１，３３Ａが丁合された後の搬送課程の略同一箇所で撮像を行うべき配置させることにより、丁合後の撮像を可能とし、確実なマッチングを行うことができるものである。
【００３９】
続いて、図６において、正規に丁合された第１の帳票３１と所定数の第２の帳票３３Ａとが所定数のタクト搬送後に、同封帳票供給部５０より所定の同封帳票５１Ａ，５１Ｂ・・・が順次供給されて丁合され、定められた総ての同封帳票５１が丁合されて封入封緘位置まで搬送される。一方、封入封緘搬送ライン４９では、封緘体供給部５２より供給される封緘体５３が封入位置で上記丁合された第１および第２の帳票３１，３３Ａ、同封帳票５１を封入し、封緘して封緘物５４とする。
【００４０】
封緘体５３は例えば窓が形成されたもので、封入された第１の帳票３１の宛名部分が当該窓より表出されるものである。封緘物５４は、下方に配置された符号読取手段５５より表出した宛名部分の例えばマーク（バーコードまたは番号）が読み取られ、配送先が確認される。そして、図示しないスタッカに封緘物５４が順次ストックされるものである。
【００４１】
上記実施形態では、第１および第２の帳票３１，３３Ａを略同一に重ねて丁合する場合を示したが（そのために、それぞれの撮像部分を下方面、上方面に位置させる）、第１および第２の帳票３１，３３Ａを特に撮像部分が共に隠れない程度にずらせて丁合させてもよい。この場合、第１〜第４の撮像手段１３〜１６は同方向に配置させればよい。
【００４２】
次に、図７に、本システムの他の実施形態のブロック構成図を示す。図７において、帳票丁合システム１１は、移動駆動手段である位置制御手段６１および駆動手段６２を備えた構成であり、他の構成は図１と同様である。この場合、第１〜第４の撮像手段１３〜１６はそれぞれ単一の構成であり、位置制御手段６１が設定値に基づいて、当該第１〜第４の撮像手段１３〜１６を、第１の帳票３１および所定数の第２の帳票３３Ａの可変データ領域３２，３４，３５内で撮像部分を異ならせるべく位置制御を行うもので、駆動手段６２がこの位置制御に基づいて当該第１〜第４の撮像手段１３〜１６を移動させるものである。
【００４３】
そこで、図８に、図７における丁合マッチング処理を説明する概略図を示す。図８は、第１〜第４の撮像手段１３〜１６が上記位置制御手段６１および駆動手段６２により移動された場合を示している。すなわち、第１の撮像手段１３および第３の撮像手段１５が、例えば画像「許  太  郎」を撮像する位置に移動され、第２の撮像手段１４および第４の撮像手段１６が、例えば画像「３−４５６」を撮像する位置に移動された場合である。
【００４４】
これによって、連続して供給される第１の帳票３１における氏名が、例えば「特許太郎」と「特許太一」の場合でも混同することなくマッチング処理を行えるもので、第２の帳票３３Ａにおいても同様である。すなわち、連続して供給される第１の帳票３１または所定数の第２の帳票３３Ａの撮像部分が同一印字内容となるような場合でも撮像部分を異ならせることで他の顧客対象のものと区別することができるものである。
【００４５】
なお、図７および図８では、単一の第１〜第４の撮像手段１３〜１６を移動させて撮像位置を変化させる場合を示したが、移動させずにそれぞれ複数の第１〜第４の撮像手段１３〜１６を配置しても同様である。
【００４６】
【発明の効果】
以上のように、請求項１の発明によれば、丁合前に搬送される第１の帳票の可変データ領域の所定印字内容を第１の撮像手段が撮像し、搬送される所定数の第２の帳票の可変データ領域の所定印字内容を第２の撮像手段が撮像して帳票情報に基づいて互いに関連付けを行って保持し、丁合後に、第３の撮像手段が第１の帳票の同一部分を撮像すると共に、第４の撮像手段が所定数の第２の帳票の同一部分を撮像してそれぞれの撮像画像のパターン照合を行って上記関連付けに基づいて丁合対象を判別することにより、可変データ領域の所定印字内容で丁合時のマッチングを行うことから、丁合マッチングのための符号を不要とすることができると共に、マッチングをパターン照合することからフォント情報を不要としてシステムを低コストで構築することができるものである。
【００４７】
請求項２の発明によれば、第１〜第４の撮像手段を単一または複数固定設置させることにより、特に複数設置させることで可変データ領域内における他の印字内容部分で丁合マッチングが可能となり、連続した第１の帳票または第２の帳票の撮像部分が同一印字内容となっても撮像部分を異ならせることで他の顧客対象のものと区別することができるものである。
【００４８】
請求項３および４の発明によれば、第１〜第４の撮像手段を単一設置とし、それぞれを可変データ領域内で撮像部分を異ならせるべく移動させることにより、上記同様に連続した第１の帳票または第２の帳票の撮像部分が同一印字内容となっても撮像部分を異ならせることで他の顧客対象のものと区別することができるものである。
【００４９】
請求項５および６の発明によれば、第１の帳票および第２の帳票を、第１〜第４の撮像手段による撮像部分が丁合後にそれぞれ上方面および下方面に位置させるように搬送させ、第３の撮像手段および第４の撮像手段を第１および所定数の第２の帳票が丁合された後の搬送課程の略同一箇所で撮像を行うべき配置させることにより、丁合後の撮像を可能とし、確実なマッチングを行うことができるものである。
【図面の簡単な説明】
【図１】本発明に係る帳票丁合システムの一例のブロック構成図である。
【図２】本発明に係る丁合を行う帳票の一例の説明図である。
【図３】本システムの丁合におけるマッチング処理を説明する概略図である。
【図４】本システムの丁合におけるマッチング処理のフローチャートである。
【図５】本システムが適用される封入封緘システムの概略図（１）である。
【図６】本システムが適用される封入封緘システムの概略図（２）である。
【図７】本システムの他の実施形態のブロック構成図である。
【図８】図７における丁合マッチング処理を説明する概略図である。
【符号の説明】
１１                    帳票丁合システム
１２                    マッチング処理手段
１３                    第１の撮像手段
１４                    第２の撮像手段
１５                    第３の撮像手段
１６                    第４の撮像手段
２１                    画像取込手段
２２                    帳票情報
２３                    関連付手段
２４                    バッファ
２５                    パターン照合手段
２６                    エラー出力手段
３１                    第１の帳票
３２，３４，３５        可変データ領域
３３                    第２の帳票
４１                    封入封緘システム
【図１】
0004428875.tif 000002
【図２】
0004428875.tif 000003
【図３】
0004428875.tif 000004
【図４】
0004428875.tif 000005
【図５】
0004428875.tif 000006
【図６】
0004428875.tif 000007
【図７】
0004428875.tif 000008
【図８】
0004428875.tif 000009